(57)【要約】      （修正有）【課題】極めて簡単で安価な構造で、ネクタイが前に垂れてブラブラするのを防止し、垂れ下りや汚れ、擦れを防止したネクタイ留め付きネクタイを提供する。【解決手段】布状体３の縦方向に沿って間隔をおいてスリット４を設けた複数個のボタン穴６を形成したネクタイ留め２を、小剣通し１１に取付け、ボタン穴６にワイシャツのボタンを通して、ネクタイとワイシャツを連結して、ブラブラや垂れ下りを防止する。【選択図】図１
0003208637.tif 000002
【実用新案登録請求の範囲】
【請求項１】
布状体の縦方向に沿って間隔をおいてスリットを設けて複数個のボタン穴を形成したネクタイ留めを、小剣通しに取付け、前記ボタン穴にワイシャツのボタンを通して、ネクタイとワイシャツを連結するようにしたことを特徴とするネクタイ留め付きネクタイ。
【請求項２】
ネクタイ留めのスリットの端部に、これと連通する丸孔を形成したことを特徴とする請求項１記載のネクタイ留め付きネクタイ。
【請求項３】
ネクタイの結び目にワンタッチフックを取付け、布状体の縦方向に沿って間隔をおいてスリットを設けて複数個のボタン穴を形成したネクタイ留めを、小剣通しに縫付け、前記ボタン穴にワイシャツのボタンを通して、ネクタイとワイシャツを連結するようにしたことを特徴とするネクタイ留め付きネクタイ。
【考案の詳細な説明】
【技術分野】
【０００１】
本考案は、ネクタイ留め付きネクタイに関するものである。
【背景技術】
【０００２】
一般にネクタイを締めた時に、ネクタイの表側の大剣と後側の小剣とがブラブラしないように、ネクタイピンを取付けて固定している。しかしながらネクタイピンを取付けてもワイシャツとは連結されていないので、腰をかがめた時にネクタイが垂れ下がり食事中に料理が付着してしまう問題があった。
【０００３】
このためネクタイとワイシャツを連結するネクタイ止めが提案されている。このネクタイ止めとして、例えば繋ぎ体が、略楕円形でその内穴の上端が幅の狭い溝状となってワイシャツのボタンに対し引掛け可能な掛止リングと、この掛止リングの下端に取付けられて吊り下げられるチェーンと、そのチェーンの先端に取付けた円板と、その円板の表面に接着した一方の面ファスナーと、ネクタイの裏に止着されているネームレーベル（小剣通し）に取付けられた他方の面ファスナーとから構成され、ワイシャツのボタンに掛止リングを引掛け、一方の面ファスナーをネクタイの裏のネームレーベルに取付けられた他方の面ファスナーに係止させることによりネクタイとワイシャツを連結するネクタイ止め（特許文献１）がある。
【０００４】
しかしながらこの構造は、部品点数が多くチェーンや掛止リングなど金属を使用しているので重く、しかもネームレーベル（小剣通し）に面ファスナーを取付けなければならずコストが高くなる欠点があった。
【先行技術文献】
【特許文献】
【０００５】
【特許文献１】実開平６−８６５３４号公報
【考案の開示】
【考案が解決しようとする課題】
【０００６】
本考案は上記問題を改善し、極めて簡単で安価な構造で、ネクタイが前に垂れてブラブラするのを防止したネクタイ留め付きネクタイを提供するものである。
【課題を解決するための手段】
【０００７】
本考案の請求項１記載のネクタイ留め付きネクタイは、布状体の縦方向に沿って間隔をおいてスリットを設けて複数個のボタン穴を形成したネクタイ留めを、小剣通しに取付け、前記ボタン穴にワイシャツのボタンを通して、ネクタイとワイシャツを連結するようにしたことを特徴とするものである。
【０００８】
本考案の請求項２記載のネクタイ留め付きネクタイは、請求項１において、ネクタイ留めのスリットの端部に、これと連通する丸孔を形成したことを特徴とするものである。
【０００９】
本考案の請求項３記載のネクタイ留め付きネクタイは、ネクタイの結び目にワンタッチフックを取付け、布状体の縦方向に沿って間隔をおいてスリットを設けて複数個のボタン穴を形成したネクタイ留めを、小剣通しに取付け、ワンタッチフックの引っ掛け金具をワイシャツの襟元に引っ掛けてから、前記ボタン穴にワイシャツのボタンを通して、ネクタイとワイシャツを連結するようにしたことを特徴とするものである。
【考案の効果】
【００１０】
本考案に係る請求項１記載のネクタイ留め付きネクタイによれば、布状体の縦方向に沿って間隔をおいてスリットを設けて複数個のボタン穴を形成したネクタイ留めでネクタイとワイシャツを連結すると、腰をかがめた時にネクタイがブラつかず、垂れ下りや汚れ、擦れを防止し、特に食事中に料理が付着するのを防止することができる。このため、レストランや冠婚葬祭業に従事する人や、ブレザーを着用する学生などに好適である。またネクタイ留めにボタン穴が複数個形成されているので好に応じて何れかのボタン穴を使用することができる。またネクタイ留めは構造が簡単で安価に製造することができる。
【００１１】
また請求項２記載のネクタイ留め付きネクタイによれば、スリットの端部にこれと連通する丸孔を設けたのでボタンを嵌め易く、しかもスリットを広げた時に力が丸孔で分散して耐久性を保持することができる。
【００１２】
また請求項１記載のネクタイ留め付きネクタイによれば、ワイシャツのボタンを掛けて、ワンタッチフックの引っ掛け金具をワイシャツの襟元に引っ掛けてワンタッチで装着することができる。これは予め結び目が形成されているので、結ぶ手間が省け、忙しい時にも片手でワンタッチで装着することができ、特に暑く、湿度が高い夏場においては首回りを締付けず襟元に隙間ができるので、煙突効果により体熱が外部に排出され快適に過ごすことができる。
【図面の簡単な説明】
【００１３】
【図１】本考案の実施の一形態によるネクタイ留め付きネクタイの背面図である。
【図２】図１のネクタイ留めを拡大して示す正面図である。
【図３】図１のクタイ１を装着してネクタイ留めにボタンを嵌めている状態を示す斜視図である。
【図４】本考案の他の実施の形態によるワンタッチフックを設けたネクタイ留め付きネクタイの背面図である。
【図５】図４のワンタッチフックをワイシャツに取付けている状態を示す斜視図である。
【考案を実施するための最良の形態】
【００１４】
以下本考案の実施の一形態を図１ないし図３を参照して詳細に説明する。図において１はネクタイ留め付きネクタイを示すもので、２はネクタイ留めで、これは例えばポリウレタンやポリエステルの繊維で、ひょうたん形の布状体３の縦方向に沿って間隔をおいて２個のスリット４が設けられ、この下端にこれと連通する丸孔５を設けてボタン穴６を形成したものである。
【００１５】
８はネクタイで、先端が尖った幅広の大剣９の反対側に、先端が尖った幅狭の小剣１０が形成され、大剣９の裏側に小剣通し１１が形成されている。この小剣通し１１の内側にネクタイ留め２の上部が縫い付けられている。
【００１６】
上記構成のネクタイ留め付きネクタイ１を着用する時は図３に示すように、ワイシャツ１３の首回りにネクタイ８を締めてから、小剣通し１１に小剣１０を通す。次に小剣通し１１に縫い付けたネクタイ留め２のボタン穴６にワイシャツ１３の１つのボタン１４を掛けてネクタイ８とワイシャツ１３を連結する。
【００１７】
このようにネクタイ留め２でネクタイ８とワイシャツ１３を連結すると、腰をかがめた時にネクタイ８がブラつかず、垂れ下りや汚れ、擦れを防止し、特に食事中に、料理が付着するのを防止することができる。なおネクタイ留め２がボタン穴６の周囲を幅広にしてひょうたん形に形成されているのでつまみ易く、またスリット４の下端にこれと連通する丸孔５が設けられているので、ボタン１４を嵌め易く、しかもスリット４を広げた時に力をここで分散して耐久性を保持することができる。従って、レストランや冠婚葬祭業に従事する人や、ブレザーを着用する学生などに好適である。
【００１８】
図４および図５は本考案の他の実施の形態を示すもので、引っ掛け金具１７を設けたワンタッチフック１６を取付けたネクタイ８で、ワンタッチフック１６の部分で結び目１８が予め形成してある。また小剣１０の長さは通常のネクタイ８より短く形成され、この小剣１０の内側に、ひょうたん形の布状体３の縦方向に沿って間隔をおいて２個のスリット４が設けられ、この下端にこれと連通する丸孔５を設けてボタン穴６を形成したネクタイ留め２が縫い付けられている。
【００１９】
このワンタッチフック１６を取付けたネクタイ８は図５に示すように、ワイシャツ１３のボタン１４を掛けてから、襟元に引っ掛け金具１７を引っ掛けてワンタッチで装着することができる。次に小剣通し１１に縫い付けたネクタイ留め２のボタン穴６にワイシャツ１３のボタン１４を掛けてネクタイ８とワイシャツ１３を連結する。
【００２０】
このワンタッチフック１６を取付けたネクタイ８は、予め結び目１８が形成されているので、結ぶ手間が省け、忙しい時にも片手でワンタッチで装着することができる。このため、暑く湿度が高い夏場においては首回りを締付けず襟元に隙間ができるので、煙突効果により体熱が外部に排出され快適に過ごすことができる。特に夏場でも正装して接客しなければならないレストランやホテル、冠婚葬祭業に従事する人にとっては効果が大きい。またネクタイ８とワイシャツ１３を連結するネクタイ留め２が設けられているので前述と同様の効果がある。
【００２１】
なお上記説明では布状体としてポリウレタンやポリエステルの繊維で形成した場合について示したが、他のプラスチック繊維やシート、または皮革など柔軟性のある素材であれば何れでも良い。またボタン穴６はスリット４の下端にこれと連通する丸孔５を設けた場合について示したが、両端に設けても良い。また引っ掛け金具１７としては、ワンタッチで取付けられれば何れの構造でも良い。またネクタイ留め２の上部を小剣通し１１の内側に縫い付けた場合について示したが、接着剤で接着しても良い。
【符号の説明】
【００２２】
１        ネクタイ留め付きネクタイ                          
２        ネクタイ留め                                      
３        布状体                                            
４        スリット                                          
５        丸孔                                              
６        ボタン穴                                          
８        ネクタイ                                          
９        大剣                                              
１０      小剣                                              
１１      小剣通し                                          
１３      ワイシャツ                                        
１４      ボタ                                              
１６      ワンタッチフック                                  
１７      引っ掛け金具                                      
１８      結び目                                            
【図１】
0003208637.tif 000003
【図２】
0003208637.tif 000004
【図３】
0003208637.tif 000005
【図４】
0003208637.tif 000006
【図５】
0003208637.tif 000007